【手続補正書】
【提出日】平成25年2月12日(2013.2.12)
【手続補正１】
【補正対象書類名】特許請求の範囲
【補正対象項目名】全文
【補正方法】変更
【補正の内容】
【特許請求の範囲】
【請求項１】
取付面と、
前記取付面に取付可能な移動案内部材と、
目盛を感知するセンサを備える第一の部材であって、前記移動案内部材に取り付け可能な第一の部材と、
使用時に前記センサによって感知可能な第一の目盛セットを含むエンコーダスケール部材と、
を備える座標位置決め装置であって、
前記エンコーダスケール部材が前記取付面によって少なくとも前記第一の目盛セットの付近で支持されるよう、前記エンコーダスケール部材の少なくとも一部が、前記取付面と前記移動案内部材の間に保持されることを特徴とする座標位置決め装置。
【請求項２】
前記エンコーダスケール部材の少なくとも一部が、前記取付面と前記移動案内部材の間に、これらの間に挟まれることによって保持されることを特徴とする、請求項１に記載の装置。
【請求項３】
前記エンコーダスケール部材は、前記エンコーダスケール部材を前記座標位置決め装置の前記取付面に取り付けることを許容する少なくとも１つの取付機能部を備えることを特徴とする、請求項１または２に記載の装置。
【請求項４】
前記少なくとも１つの取付機能部は、少なくとも１つの取付穴であることを特徴とする、請求項３に記載の装置。
【請求項５】
前記少なくとも１つの取付機能部は、少なくとも１つの取付スロットであることを特徴とする、請求項３に記載の装置。
【請求項６】
前記移動案内部材は少なくとも１つの取付機能部を備えることを特徴とする、請求項１から５のいずれかに記載の装置。
【請求項７】
前記エンコーダスケール部材は、少なくとも１つの取付機能部を備え、少なくとも１つの連結部が設けられ、前記少なくとも１つの連結部は、前記エンコーダスケール部材の前記少なくとも１つの取付機能部と前記移動案内部材の前記少なくとも１つの取付機能部と協働して、前記エンコーダスケール部材と前記移動案内部材を前記座標位置決め装置の前記取付面に固定することを特徴とする、請求項６に記載の装置。
【請求項８】
前記エンコーダスケール部材は、第一と第二の対向する面を有し、前記第一の面は前記取付面によって支持され、前記第二の面の少なくとも一部は前記ガイドレールと接触することを特徴とする、請求項１から７のいずれかに記載の装置。
【請求項９】
前記第一の面は前記第二の面に略平行であることを特徴とする、請求項８に記載の装置。
【請求項１０】
前記第一の目盛セットは、少なくとも前記第二の面に設置されることを特徴とする、請求項８と９のいずれかに記載の装置。
【請求項１１】
前記第一の目盛セットは、少なくとも１つのスケールトラックを形成するように配置されていることを特徴とする、請求項１から１０のいずれかに記載の装置。
【請求項１２】
前記第一の目盛セットは、磁気目盛であることを特徴とする、請求項１から１１のいずれかに記載の装置。
【請求項１３】
前記エンコーダスケール部材は、線形エンコーダスケール部材であることを特徴とする、請求項１から１２のいずれかに記載の装置。
【請求項１４】
前記エンコーダスケール部材は曲率半径を有することを特徴とする、請求項１から１２のいずれかに記載の装置。
【請求項１５】
前記座標位置決め装置は工作機械であることを特徴とする、請求項１から１４のいずれかに記載の装置。
【請求項１６】
前記移動案内部材はガイドレールを含むことを特徴とする、請求項１から１５のいずれかに記載の装置。
【請求項１７】
前記第一の部材はガイドキャリッジを含むことを特徴とする、請求項１６に記載の装置。
【請求項１８】
前記移動案内部材は軸受を含むことを特徴とする、請求項１から１５のいずれかに記載の装置。
【請求項１９】
取付面と、前記取付面に取付可能な移動案内部材と、目盛を感知するセンサを有する第一の部材であって、前記移動案内部材に取付可能な第一の部材を備える座標位置決め装置と使用するためのエンコーダスケール部材であって、
使用時に、前記センサによって感知可能な第一の目盛セットと、
前記エンコーダスケール部材が前記取付面によって少なくとも前記第一目盛セットの付近で支持されるよう、前記エンコーダスケール部材の少なくとも一部が前記取付面と前記移動案内部材の間に固定されることを許容する少なくとも１つの取付機能部と、
を備えることを特徴とするエンコーダスケール部材。
【請求項２０】
前記少なくとも１つの取付機能部と協働して、前記エンコーダスケール部材の前記少なくとも一部を、関連する取付面と移動案内部材の間に固定する少なくとも１つの連結部が設けられることを特徴とする、請求項１９に記載のエンコーダスケール部材。
【請求項２１】
前記少なくとも１つの取付機能部は、前記少なくとも１つの連結部を受け入れるための少なくとも１つの取付穴を含むことを特徴とする、請求項２０に記載のエンコーダスケール部材。
【請求項２２】
前記少なくとも１つの取付機能部は、前記少なくとも１つの連結部の周囲に嵌められるための少なくとも１つの取付スロットを含むことを特徴とする、請求項２０に記載のエンコーダスケール部材。
【請求項２３】
第一と第二の対向する面を有することを特徴とする、請求項１９から２２のいずれかに記載のエンコーダスケール部材。
【請求項２４】
前記第一の面は前記第二の面に略平行であることを特徴とする、請求項２３に記載の装置。
【請求項２５】
前記第一の目盛セットは、前記第一と第二の面の少なくとも一方に設置されることを特徴とする、請求項２３と２４のいずれかに記載の装置。
【請求項２６】
前記第一の目盛セットは、少なくとも１つのスケールトラックを形成するように配置されていることを特徴とする、請求項１９から２５のいずれかに記載の装置。
【請求項２７】
前記第一の目盛セットは、磁気目盛であることを特徴とする、請求項１９から２６のいずれかに記載の装置。
【請求項２８】
前記エンコーダスケール部材は、線形エンコーダスケール部材であることを特徴とする、請求項１９から２７のいずれかに記載の装置。
【請求項２９】
前記エンコーダスケール部材は曲率半径を有することを特徴とする、請求項１９から２７のいずれかに記載の装置。
【請求項３０】
エンコーダスケール部材を座標位置決め装置に取り付ける方法であって、座標位置決め装置は、取付面と、前記取付面に取付可能な移動案内部材と、目盛を感知するセンサを含む第一の部材であって、前記移動案内部材に取付可能な第一の部材とを備え、前記エンコーダスケール部材は使用時に前記センサにより感知可能な前記第一の目盛セットを有し、方法は、
（ｉ）前記取付面、前記移動案内部材および前記エンコーダスケール部材を準備するステップと、
（ｉｉ）前記エンコーダスケール部材が前記取付面によって少なくとも前記第一の目盛セットの付近で支持されるよう、前記エンコーダスケール部材の少なくとも一部を、前記取付面と前記移動案内部材の間に位置付けるステップと、
を含むことを特徴とする方法。
【請求項３１】
前記エンコーダスケール部材が前記取付面によって前記第一の目盛セットの付近で支持されるよう、前記エンコーダスケール部材の少なくとも一部を前記取付面と前記移動案内部材の間に位置付ける前記ステップは、
（ｉ）前記エンコーダスケール部材が前記取付面によって少なくとも前記第一の目盛セットの付近で支持されるよう、前記エンコーダスケール部材を前記座標位置決め装置の前記取付面に位置付けるステップと、
（ｉｉ）前記エンコーダスケール部材の少なくとも前記一部が前記移動案内部材と前記座標位置決め装置の前記取付面との間に存在するよう、前記移動案内部材を前記エンコーダスケール部材に位置付けるステップと、
をさらに含むことを特徴とする、請求項３０に記載の方法。
【請求項３２】
前記エンコーダスケール部材はリール状エンコーダスケール部材であり、前記エンコーダスケール部材が前記取付面によって少なくとも前記第一の目盛セットの付近で支持されるよう、前記エンコーダスケール部材を前記座標位置決め装置の前記取付面に位置付ける前記ステップは、前記エンコーダスケール部材を伸ばすステップと、それを前記取付面上に敷設するステップを含むことを特徴とする、請求項３１に記載の方法。
【請求項３３】
前記方法は、前記移動案内部材と前記エンコーダスケール部材を前記座標位置決め装置の前記取付面に固定する追加のステップを含むことを特徴とする、請求項３０から３２のいずれかに記載の方法。
【請求項３４】
前記取付面、前記移動案内部材および前記エンコーダスケール部材は、それぞれ、取付穴を有し、前記移動案内部材と前記エンコーダスケール部材を前記座標位置決め装置の前記取付面に固定するステップは、前記移動案内部材と前記エンコーダスケール部材を前記座標位置決め装置の前記取付面にボルトで留めるステップを含むことを特徴とする、請求項３３に記載の方法。
【請求項３５】
前記移動案内部材を前記座標位置決め装置の前記取付面に取り外し可能に固定する初期ステップを含むことを特徴とする、請求項３０に記載の方法。
【請求項３６】
前記エンコーダスケール部材が前記取付面によって少なくとも前記第一の目盛セットの付近で支持されるよう、前記エンコーダスケール部材の少なくとも一部を前記取付面と前記移動案内部材の間に取り付ける前記ステップは、
（ｉ）前記移動案内部材を前記座標位置決め装置の前記取付面から少なくとも部分的に取り外すステップと、
（ｉｉ）前記移動案内部材を前記座標位置決め装置の前記取付面から少なくとも部分的に分離させるステップと、
をさらに含むことを特徴とする、請求項３５に記載の方法。
【請求項３７】
前記移動案内部材を前記座標位置決め装置の前記取付面に再固定するステップをさらに含むことを特徴とする、請求項３６に記載の方法。
【請求項３８】
前記移動案内部材は、前記座標位置決め装置の前記取付面に前記少なくとも１つの連結部で取り外し可能に固定されることを特徴とする、請求項３５から３７のいずれかに記載の方法。
【請求項３９】
前記エンコーダスケール部材は、前記少なくとも１つの連結部の周囲に嵌る少なくとも１つの取付スロットを含むことを特徴とする、請求項３７に記載の方法。
【請求項４０】
移動案内部材がガイドレールを含むことを特徴とする、請求項３０から３９のいずれかに記載の方法。
【請求項４１】
前記第一の部材はガイドキャリッジを含むことを特徴とする、請求項４０に記載の方法。
【請求項４２】
前記移動案内部材が軸受を含むことを特徴とする、請求項３０から３９のいずれかに記載の方法。
【請求項４３】
前記座標位置決め装置が工作機械であることを特徴とする、請求項３０から４２のいずれかに記載の方法。
【請求項４４】
取付面と、
前記取付面に取付可能な移動案内部材と、
目盛を感知するためのセンサを支持する第一の部材であって、前記移動案内部材に取付可能な第一の部材と、
目盛を有するエンコーダスケール部材と、
を備え、
前記エンコーダスケール部材の少なくとも一部は、前記取付面と前記移動案内部材の間に保持され、前記エンコーダスケール部材の実質的部分が前記取付面によって支持されることを特徴とする、座標位置決め装置。
【請求項４５】
前記座標位置決め装置は工作機械であることを特徴とする、請求項３８に記載の座標位置決め装置。